(57)【要約】【課題】透過光および反射光の両用であってスクロール式の表示装置に用いた場合に画像の摩耗が少なく皺も発生し難い画像シートを得ること。【解決手段】半透明のフィルム状体からなる支持体１１と、支持体１１の一方の表面に形成された第１の画像からなる第１の画像層１２と、第１の画像層１２の表面に形成された薄い膜状体１３と、膜状体１３の表面に第１の画像１２と重なるように形成された第２の画像からなる第２の画像層１４とを有する。【選択図】      図１
2005132090.tif 000002
【特許請求の範囲】
【請求項１】
半透明のフィルム状体を支持体とする画像シートの製造方法であって、
前記支持体の一方の表面に第１の画像を形成するステップと、
形成された前記第１の画像の表面を乾燥させるステップと、
乾燥させた前記第１の画像の表面に、当該第１の画像と同じ画像である第２の画像を重ねて形成するステップと、
を有することを特徴とする画像シートの製造方法。
【請求項２】
半透明のフィルム状体からなる支持体と、
前記支持体の一方の表面に形成された第１の画像からなる第１の画像層と、
前記第１の画像層の表面に形成された薄い膜状体と、
前記膜状体の表面に前記第１の画像と重なるように形成された第２の画像からなる第２の画像層と、
を有することを特徴とする画像シート。
【請求項３】
前記膜状体は、前記第１の画像層を乾燥させることによって形成された膜である、
請求項２記載の画像シート。
【請求項４】
前記支持体として、ポリエステルを材料とした乳白色のフィルムが用いられてる、
請求項２または３記載の画像シート。
【請求項５】
前記支持体として、ポリエステルを材料とした透明のフィルムが用いられ、
前記第１の画像層は、前記支持体の表面にコーティングにより形成された乳白色の拡散層と、前記拡散層の表面に印刷によって形成された第１の画像部とを有する、
請求項２または３記載の画像シート。
【請求項６】
前記拡散層は、チタンホワイトが主材料として用いられ、厚さが３０μｍ以上となるように形成されている、
請求項５記載の画像シート。
【請求項７】
前記拡散層は、チタンホワイトが主材料として用いられ、
前記第１の画像層は、厚さが３０μｍ以上となるように形成されている、
請求項５記載の画像シート。
【請求項８】
前記第１の画像層および第２の画像層は、それぞれ、不透明のインクを用いて印刷を行うことによって形成されており、
前記膜状体は、乳白色のインクを用いて前記第１の画像層の表面にコーティングすることによって形成されてなる、
請求項２記載の画像シート。
【請求項９】
前記第１の画像層および第２の画像層は、それぞれ、不透明のインクを用いて印刷を行うことによって形成されており、
前記膜状体は、チタンホワイトを主材料として用いて前記第１の画像層の表面にコーティングすることによって厚さが３０μｍ以上となるように形成されている、
請求項２記載の画像シート。
【請求項１０】
前記第１の画像層および第２の画像層は、写真焼付けによって形成されてなる、
請求項２乃至４のいずれかに記載の画像シート。
【請求項１１】
前記第２の画像層の表面にコーティングによって耐摩耗性の保護層が形成されてなる、  請求項２乃至１０のいずれかに記載の画像シート。
【請求項１２】
半透明のフィルム状体からなる支持体と、
前記支持体の一方の表面において、チタンホワイトが主材料として用いられて形成された乳白色の拡散層と、
前記拡散層の表面にインクジェットプリンタを用いて印刷され、画像の画素を構成する各ドットのインクが前記拡散層に浸透することによって形成された第１の画像層と、
前記拡散層の表面の前記第１の画像層の上から前記インクジェットプリンタを用いて印刷され、前記第１の画像層と同じ画像の画素を構成する各ドットのインクが前記第１の画像層の対応するドットに重ねられ且つ当該各ドットの表面に形成された薄い膜状体の上または周囲に形成された第２の画像層と、
を有することを特徴とする画像シート。
【請求項１３】
前記拡散層は、厚さが３０μｍ以上となるように形成されている、
請求項１２記載の画像シート。
【請求項１４】
ローラに巻き取られ当該ローラの回転によってスクロールさせて表示するための画像シートであって、
ポリエステルを材料とした透明のフィルムからなる支持体と、
前記支持体の一方の表面において、チタンホワイトが主材料として用いられ、厚さが３０μｍ以上となるように形成された乳白色の拡散層と、
前記拡散層の表面に形成された画像部と、
を有することを特徴とする画像シート。
【請求項１５】
前記画像部は、インクを用いて前記拡散層の表面に１回目の印刷を行い、それが乾いた後でその上に同じ画像を重ねて２回目の印刷を行うことによって形成されている、
請求項１４記載の画像シート。
【請求項１６】
ローラに巻き取られ当該ローラの回転によってスクロールさせて表示するための画像シートのために用いられる画像シート材料であって、
ポリエステルを材料とした透明のフィルムからなる支持体と、
前記支持体の一方の表面において、チタンホワイトが主材料として用いられ、厚さが３０μｍ以上となるように形成された乳白色の拡散層と、
を有することを特徴とする画像シート材料。
【発明の詳細な説明】
【技術分野】
【０００１】
本発明は、透過光または反射光のいずれによっても鮮明な画像を表示することのできる画像シートの製造方法および画像シート並びに画像シート材料に関する。これらの画像シートは、例えば広告用または装飾用として用いられる。
【背景技術】
【０００２】
従来より、駅の構内、ホテルやデパートの室内壁面に、宣伝広告のための一辺が数メートルから十メートル程度の大型のパネル写真が用いられる。
【０００３】
通常、これらのパネル写真は、広告用の画像が形成された画像シートをパネルに取付け、画像シートの背面から蛍光灯などにより照明する。これにより、照明による透過光によって画像が鮮明に見える。
【０００４】
従来においては、半透明のフィルムからなる支持体の両面に感光乳剤を塗布してなる印画フィルムを用い、その両面の感光乳剤層に画像が互いに重なるように焼付け、それを現像して得られた陽画写真を画像シートとして用いる（特開昭５９−２２２８３５号）。
【０００５】
このようなパネル写真は、背面からの照明による透過光によって、画像が適切な濃度で鮮明に見える。背面の照明を消した場合でも、周囲からの光による反射光によって画像が適切な濃度で一応鮮明に見える。
【０００６】
このように、従来においては、支持体の両面に画像を重ねて形成した画像シートを用いている。
【特許文献１】特開昭５９−２２２８３５号
【発明の開示】
【発明が解決しようとする課題】
【０００７】
しかし、近年において、宣伝広告の効率化を図る趣旨から、複数の画像を形成した長い画像シートの両端をローラによって巻き取り、ローラの回転によって画像シートをスクロールさせて表示することがしばしば行われている。
【０００８】
スクロール式の表示装置の場合に、従来の画像シートを用いると、ローラに巻き取られたときに画像シートの表面と裏面とが接触して擦れるので、繰り返して使用しているうちに表裏両側の画像が摩耗して薄くなり、コントラストのない薄い画像しか得られないという問題がある。
【０００９】
その場合に、画像シートの両側の表面に耐摩耗性のコーティングを施すことが考えられるが、そうした場合には画像シートの重量がそれだけ大きくなり、重力による画像シートの伸びやローラの撓みなどによって歪みが生じ、画像シートがローラに正しく巻き取られなくなって画像に皺が発生するという問題がある。
【００１０】
本発明は、上述の問題に鑑みてなされたもので、透過光および反射光の両用であってスクロール式の表示装置に用いた場合に画像の摩耗が少なく皺も発生し難い画像シートの製造方法および画像シート並びに画像シート材料を提供することを目的とする。
【課題を解決するための手段】
【００１１】
本発明に係る方法は、半透明のフィルムを支持体とする画像シートの製造方法であって、前記支持体の一方の表面に第１の画像を形成するステップと、形成された前記第１の画像の表面を乾燥させるステップと、乾燥させた前記第１の画像の表面に、当該第１の画像と同じ画像である第２の画像を重ねて形成するステップとを有する。
【００１２】
本発明に係る装置は、半透明のフィルムからなる支持体と、前記支持体の一方の表面に形成された第１の画像からなる第１の画像層と、前記第１の画像層の表面に形成された薄い膜状体と、前記膜状体の表面に前記第１の画像と重なるように形成された第２の画像からなる第２の画像層とを有する。
【００１３】
好ましくは、前記膜状体は、前記第１の画像層を乾燥させることによって形成された膜である。
【００１４】
また、前記支持体は、ポリエステルを材料とした乳白色のフィルムである。
【００１５】
また、支持体として、ポリエステルを材料とした透明のフィルムが用いられ、前記第１の画像層は、前記支持体の表面にコーティングにより形成された乳白色の拡散層と、前記拡散層の表面に印刷によって形成された第１の画像部とを有する。拡散層は、チタンホワイトが主材料として用いられ、厚さが３０μｍ以上となるように形成される。また、拡散層と第１の画像部とを合わせた第１の画像層の全体の厚さが３０μｍ以上となるように形成してもよい。
【００１６】
また、前記第１の画像層および第２の画像層は、それぞれ、不透明のインクを用いて印刷を行うことによって形成されてなる。
【００１７】
また、前記第１の画像層および第２の画像層は、写真焼付けによって形成されてなる。      
【００１８】
また、前記第２の画像層の表面にコーティングによって耐摩耗性の保護層が形成されてなる。
【００１９】
また、半透明のフィルム状体からなる支持体と、前記支持体の一方の表面において、チタンホワイトが主材料として用いられて形成された乳白色の拡散層と、前記拡散層の表面にインクジェットプリンタを用いて印刷され、画像の画素を構成する各ドットのインクが前記拡散層に浸透することによって形成された第１の画像層と、前記拡散層の表面の前記第１の画像層の上から前記インクジェットプリンタを用いて印刷され、前記第１の画像層と同じ画像の画素を構成する各ドットのインクが前記第１の画像層の対応するドットに重ねられ且つ当該各ドットの表面に形成された薄い膜状体の上または周囲に形成された第２の画像層とを有する。
【００２０】
また、ローラに巻き取られ当該ローラの回転によってスクロールさせて表示するための画像シートであって、ポリエステルを材料とした透明のフィルムからなる支持体と、前記支持体の一方の表面において、チタンホワイトが主材料として用いられ、厚さが３０μｍ以上となるように形成された乳白色の拡散層と、前記拡散層の表面に形成された画像部とを有する。
【００２１】
前記画像部は、インクを用いて前記拡散層の表面に１回目の印刷を行い、それが乾いた後でその上に同じ画像を重ねて２回目の印刷を行うことによって形成される。
【発明の効果】
【００２２】
本発明の画像シートによると、透過光および反射光の両用であってスクロール式の表示装置に用いた場合に、画像の摩耗が少なく皺も発生し難い。
【発明を実施するための最良の形態】
【００２３】
〔第１の実施形態〕
図１は本発明に係る画像シート１の一部を示す断面図である。
【００２４】
図１において、画像シート１は、支持体１１、第１の画像層１２、膜状体１３、第２の画像層１４、および保護層１５からなる。
【００２５】
支持体１１は、ポリエステル、ポリプロピレンなどの合成樹脂を材料とした白色又は乳白色の半透明のフィルムからなる。このフィルムは、フィルム自体が半透明のもの又は透明フィルムに乳白色の乳剤を塗布したものを使用することができる。支持体１１の厚さは、数十〜数百ミクロン、例えば６０〜３００ミクロン、特に９０〜１５０ミクロンのものが用いられる。支持体１１は、伸縮性の少ないもの、耐熱性を有するものなどが望ましい。特に、温度変化による伸縮性が小さい材料を用いた場合には、例えば画像シート１の一部に日光が当たったりすることによって温度が上昇した場合においても、画像シート１の全体に歪みが発生することが極力抑えられる。ポリエステルまたはポリエチレンテレフタレート（ＰＥＴ）を材料として用いることで、支持体１１の全体が適当な可撓性を持ち、ローラによる巻き取りに適合し、全体の平面性が良好である。
【００２６】
特に、ＰＥＴは、軽量であり、伸縮性がなく、平面性が良く、したがって皺がよらず、低温でもカチカチになることなく適度な可撓性を維持するので、ローラによるスクロール用の画像シートのフィルム材料として好適である。
【００２７】
第１の画像層１２は、支持体１１の一方の表面に形成された第１の画像からなる。第１の画像層１２の形成に当たっては種々の方法によることができる。例えば、インクジェットプリンタにより不透明のインクを用いて、第１の画像の印刷を行う。または、電子写真方式のプリンタによりトナーを用いて印刷を行う。または、写真乳剤層を形成しておき、第１の画像を露光して現像する。第１の画像層１２は、モノクロ画像またはカラー画像とすることができる。
【００２８】
膜状体１３は、第１の画像層１２の表面に形成された薄い膜である。膜状体１３が存在することによって、第２の画像層１４の形成、特に印刷が容易となる。第１の画像層１２をインクを用いて印刷することにより形成した場合には、印刷後に数秒乃至数十秒程度乾燥させることによって表面に膜状の界面が形成されるので、この界面を膜状体１３として用いることができる。
【００２９】
また、膜状体１３として、透光性のある白色または乳白色の膜をコーティング（または塗布、印刷）によって形成してもよい。例えば、溶剤にチタンホワイトなどの顔料を適当な量だけ溶解させた薄いインクを第１の画像層１２の表面に塗布することによって膜状体１３を形成してもよい。また、無機充填剤であるシリカおよび適当な合成樹脂からなるバインダーを含有する溶液をコーティングすることによって膜状体１３を形成してもよい。      
【００３０】
このように、画像層１２の表面に別途他の溶液をコーティングした場合には、より有効なまたは効果的な膜状体１３とすることができる。その場合に、膜状体１３の厚さが３０μｍ以上となるように形成すると、その表面に印刷によって第２の画像層１４を形成した場合に、膜状体１３に深くインクが浸透し、背面からの照明を行ったときに画像が薄くならず、コントラストのある鮮明な画像が得られる。因みに、このような膜状体１３の厚さが１０μｍ以下、または１０〜２０μｍ程度である場合には、背面からの照明を行ったときに画像が薄くなって十分なコントラストが得られない場合がある。また、膜状体１３が拡散効果を有し、背面からの照明を均一にするために蛍光灯などとの間に設ける乳白色の拡散板の機能を果たすことになるので、そのような拡散板を省略することができる。
【００３１】
なお、膜状体１３を別途形成する場合に、第１の画像層１２を印刷した後、支持体１１の位置を元の位置（初期位置）に戻し、再度支持体１１の送りを行って乳白色の膜を塗布してもよい。また、第１の画像層１２の印刷を行いながら、第１の画像層１２の形成の直後に乳白色の膜を塗布して膜状体１３を形成してもよい。後者による場合は、第１の画像層１２の形成の後で支持体１１の位置を印刷の初期位置に戻す必要がないので、膜状体１３の形成を短時間で容易に行うことができる。なお、その場合に、第１の画像層１２のためのインクタンクとは別に、乳白色のインクなどを収容しておくインクタンクを別途設けておけばよい。
【００３２】
第２の画像層１４は、膜状体１３の表面に第１の画像層１２の画像と重なるように形成された第２の画像からなる。第２の画像層１４の形成方法は、第１の画像層１２の形成方法と同じである。例えば、第１の画像層１２を印刷によって形成した場合には、それと同じ画像を同じ位置に重ねて印刷する。この場合には、同じ画像を同じ位置に印刷すればよいので、１回目の印刷を行った後で、支持体１１を２回目の印刷のために元の位置に戻すだけで位置決めを行うことが可能であり、これら第１の画像層１２および第２の画像層１４の形成が容易である。写真により形成する場合には、写真乳剤層を２層形成しておき、１回の露光でそれぞれの写真乳剤層に同時に露光して感光させることも可能である。
【００３３】
保護層１５は、第２の画像層１４を保護するための透明の薄い膜からなる。保護層１５は、適当な樹脂コーティングによって形成し、または薄い樹脂フィルムをラミネートし、またはテフロン（登録商標）（登録商標）加工などによって形成してもよい。保護層１５が存在することによって耐久性が向上し、画像シート１をローラに巻き取ったときに画像シート１の表面と裏面との摩擦を低減し、または第２の画像層１４の摩耗を防ぐことができる。第２の画像層１４の表面が適度の硬度を有する場合、またはロールに巻き取ることなく使用する場合などには、保護層１５を省略することも可能である。
【００３４】
このような画像シート１によると、前面から（矢印Ｍ１の方向から）の照明を行えば、その光は保護層１５を透過し、第２の画像層１４を透過して膜状体１３によって一部が反射し、反射した光は再度第２の画像層１４を透過して観察者によって観察される。このように、第２の画像層１４に形成された第２の画像を光が２回透過して観察者の眼に入るので、通常の反射光による観察と同じ状態となり、鮮明な画像が得られる。
【００３５】
また、背面から（矢印Ｍ２の方向から）の照明を行えば、その光線が半透明の支持体１１、第１の画像層１２、膜状体１３、第２の画像層１４、および保護層１５を透過して観察者の眼に入る。つまり、第１の画像層１２および第２の画像層１４と画像を２回透過するので、反射光による場合と同様にコントラストのある鮮明な画像が得られる。
【００３６】
なお、画像シート１を製造する方法は次のとおりである。
【００３７】
支持体１１の一方の表面に、印刷などによって第１の画像（第１の画像層１２）を形成する。印刷の後、第１の画像を乾燥させることによって、膜状体１３を形成する。膜状体１３を別途形成する場合には、第１の画像が乾燥した後に膜状体１３をコーティングする。乾燥させた第１の画像または膜状体１３の表面に、当該第１の画像と同じ画像である第２の画像（第２の画像層１４）を、例えば印刷によって重ねて形成する。その後、必要に応じて、第２の画像の上に樹脂コーティングなどを行う。
【００３８】
上の実施形態に示す画像シート１は、ローラにより巻き取って使用することができる。支持体１１として熱伸縮の少ない材料を用いることにより、画像シート１の局部的な温度差による歪みが少なくなり、画像シート１がローラに正しく巻き取られなくなるということが生じ難くなる。保護層１５があるので、画像シート１の表面と裏面とが接触しても画像が摩耗することがない。画像シート１の厚さを薄くすることができるので、ローラで巻き取ることが容易であり、内部での剥離が起こらない。また、画像シート１は軽量であるので、重力によってローラが撓んだり画像シート１が伸びたりし難い。したがって、画像シート１に皺が発生し難い。第１の画像層１２の第１の画像と第２の画像層１４の第２の画像とを同じにすればよいので、これらの画像の形成が容易である。
【００３９】
また、画像シート１は、ローラに巻き取ることなく、拡げた状態のパネル画像またはパネル写真として使用することもできる。
〔第２の実施形態〕
図２は本発明に係る第２の実施形態の画像シート１Ｂの一部を示す断面図である。
【００４０】
図２において、画像シート１Ｂは、支持体１１、第１の画像層１２Ｂ、膜状体１３、第２の画像層１４、および保護層１５からなる。
【００４１】
支持体１１は、ポリエステルまたはポリエチレンテレフタレートなどの合成樹脂を材料とした透明のフィルムからなる。他の点については上に述べた支持体１１と同様である。      
【００４２】
第１の画像層１２Ｂは、拡散層１２ａおよび第１の画像部１２ｂからなる。拡散層１２ａは、透光性のある白色または乳白色の膜をコーティングなどによって形成する。例えば、上に述べたように、溶剤にチタンホワイトなどの顔料を適当な量だけ溶解させた液を塗布する。または、シリカおよびバインダーを含んだ溶液をコーティングする。それらの場合に、拡散層１２ａの厚さが３０μｍ以上となるように形成すると、背面からの照明を行ったときに画像が薄くならず、コントラストのある鮮明な画像が得られる。また、拡散層１２ａが拡散効果を有し、上に述べた拡散板の機能を果たすことになるので、照明装置におけるそのような拡散板を省略することができる。また、拡散層１２ａは、インクなどが浸透し易い性質を有する。
【００４３】
第１の画像部１２ｂは、拡散層１２ａの表面に印刷することによって形成される。拡散層１２ａの表面に印刷を行うと、インクは拡散層１２ａの中に浸透する。拡散層１２ａの厚さが十分に厚い場合には、例えば３０μｍ以上の場合には、インクは拡散層１２ａに深く浸透する。これによって、第１の画像部１２ｂを透過光で見た場合に、上に述べたような高いコントラストが得られる。
【００４４】
膜状体１３、第２の画像層１４、および保護層１５については、第１の実施形態におけるそれらと同様である。但し、拡散層１２ａの厚さを厚くした場合には、膜状体１３を薄くしてもよい。例えば、これら両者の合計の厚みが３０μｍ以上となるように形成すると、コントラストのある鮮明な画像が得られ、適度な拡散効果も得られる。
〔第３の実施形態〕
図３は本発明に係る第３の実施形態の画像シート１Ｃの一部を示す断面図である。
【００４５】
図３において、画像シート１Ｃは、支持体１１、画像層１６、および保護層１７からなる。
【００４６】
支持体１１は第２の実施形態と同様である。ここにおいて、支持体１１としてポリエチレンテレフタレートが用いられる。
【００４７】
画像層１６は、拡散層１６ａおよび画像部１６ｂからなる。拡散層１６ａおよび画像部１６ｂは、第２の実施形態の拡散層１２ａおよび第１の画像部１２ｂとほぼ同様である。      
【００４８】
すなわち、拡散層１６ａは、チタンホワイトなどをコーティングすることによって厚さが３０μｍ以上となるように形成されている。画像部１６ｂは、拡散層１６ａの表面に印刷することによって形成される。拡散層１６ａの表面に印刷を行うことにより、インクは拡散層１６ａに深く浸透し、画像部１６ｂは透過光で見た場合でも上に述べたように十分に高いコントラストが得られる。画像部１６ｂを反射光で見ると、インクの浸透した深さまでは光が入らないため、通常の反射光用の画像と同じ適度な濃度の画像が得られる。
【００４９】
保護層１７は第２の実施形態の保護層１５と同様である。
【００５０】
第３の実施形態の画像シート１Ｃによると、背面からの照明を行ったときに画像が薄くならず、コントラストのある鮮明な画像が得られる。また、拡散層１６ａが拡散効果を有するので、照明装置における拡散板を省略することができる。また、画像シート１Ｃは、温度変化による伸縮性が小さく、平面性が良く軽量であるので、重力によってローラが撓んだり画像シート１Ｃが伸びたりし難くく、皺が発生し難い。また、冬季や寒冷地であっても、画像シート１Ｃがカチカチになることなく、加熱のためのヒータなどが不要である。また、支持体１１の一方の側の表面にのみ画像層１６が設けられるので、画像シート１Ｃの表面と裏面とが接触しても画像が摩耗することがない。
【００５１】
したがって、このような画像シート１Ｃは、ローラの回転によって画像シートをスクロールさせて表示する画像スクロール表示装置に用いる画像シートとして好適である。例えば、本出願人が提案する特願平２００３−７００５の画像スクロール表示装置に用いる画像シートとして好適である。
〔第４の実施形態〕
図４は本発明に係る第４の実施形態の画像シート１Ｄの一部を示す断面図、図５は第４の実施形態の画像シート１Ｄの一部を示す平面図、図６は画像シート１Ｄの製作に用いられる画像シート材料１０の一部を示す断面図、図７はインクの状態の他の例を示す画像シート１Ｅの一部を示す断面図である。
【００５２】
図４において、画像シート１Ｄは、支持体１１、画像層１８、および保護層１７からなる。画像層１８は、拡散層１８ａおよび画像部１８ｂからなる。
【００５３】
図６において、画像シート材料１０は、支持体１１および拡散層１８ａを有する。つまり、図４に示す画像シート１Ｄは、図６に示す画像シート材料１０の表面に、画像部１８ｂを形成し、その後に保護層１７を形成したものである。
【００５４】
図６において、支持体１１は、ポリエステルまたはポリエチレンテレフタレートなどの合成樹脂を材料とした透明のフィルムからなる。つまり、第１または第３の実施形態において説明した支持体１１と同様のものが用いられる。したがって、伸縮性がなく、温度変化による伸縮性が小さく、平面性が良く、低温でもカチカチになることなく適度な可撓性を維持し、耐久性が高く長期間にわたって安定して形状や強度が維持されるので、ローラによるスクロール用の画像シートのフィルム材料として好適である。
【００５５】
拡散層１８ａは、第３の実施形態の拡散層１６ａとほぼ同様である。すなわち、拡散層１８ａは、例えば、溶剤にチタンホワイトなどの顔料を適当な量だけ溶解させた液を支持体１１の表面または支持体１１の表面に適当な処理を施した上に塗布する。または、シリカおよびバインダーを含んだ溶液をコーティングする。拡散層１８ａは、インクが浸透し易い性質を有する。
【００５６】
次に、画像部１８ｂは、図５および図６に示すように、インクを用いて拡散層１８ａの表面に１回目の画像１８１の印刷を行い、それが乾いた後で、その上に同じ２回目の画像１８２を重ねて印刷を行うことによって形成される。
【００５７】
各画像１８１，１８２は、公知のように、それぞれのカラー成分Ｃ、Ｍ、ＹまたはＣ、Ｍ、Ｙ、Ｋが、ドットによって構成される。通常、３つまたは４つのドットによって、画像の１つの画素が構成される。１回目の画像１８１は、印刷を行うことによって、それぞれのドットにおいて、インクが拡散層１８ａに深さ方向（縦方向）に深く浸透する。それぞれのドットは互いに交わらない。２回目の画像１８２は、印刷を行うことによって、それぞれのドットにおいて、インクが拡散層１８ａに縦方向にも浸透するが、横方向にも広がる。しかし、それぞれのドットは互いに交わらない。または、ドットが互いに交わったとしても、微小部分であって無視できる程度である。
【００５８】
なお、インクは直ぐに乾くので、画像シート材料１０の表面に１回目の印刷を行った後、その画像シート材料１０を初期位置に戻したときにはインクは乾いているので、直ぐに２回目の印刷を行えばよい。このときに、画像シート材料１０は、伸縮しないから、２回の印刷によって、画像１８１，１８２の位置がずれることなく、精度のよい鮮明な画像部１８ｂが形成される。
【００５９】
このように画像部１８ｂが形成されることにより、透過光で見た場合でも上に述べたように十分に高いコントラストが得られる。画像部１８ｂを反射光で見ると、インクの浸透した深さまでは光が入らないため、通常の反射光用の画像と同じ適度な濃度の画像が得られる。
【００６０】
保護層１７は第３の実施形態の保護層１７と同様である。保護層１７を省略することも可能である。
【００６１】
第４の実施形態の画像シート１Ｄにおいても、第３の実施形態の画像シート１Ｃと同様の効果が得られる。したがって、画像シート１Ｄは、上に述べたように、画像スクロール表示装置に用いる画像シートとして好適である。
【００６２】
インクの拡散層１８ａへの浸透状態については、種々のケースが考えられる。例えば、図７に示す画像シート１Ｅでは、１回目の画像１８１は、それぞれのドットにおいて、インクが拡散層１８ａの厚さ方向の全領域にわたって深く浸透し、２回目の画像１８２は、それぞれのドットにおいて、１回目の画像１８１の表面の乾燥による膜を避けてその周囲に同心状に拡がって拡散層１８ａに浸透している。
【００６３】
このように、画像シート１Ｄ，１Ｅにおいては、画像部１８ｂは、拡散層１８ａの表面にインクジェットプリンタを用いて印刷され、画像の画素を構成する各ドットのインクが拡散層１８ａに浸透することによって形成された第１の画像層（１８１）と、拡散層１８ａの表面の第１の画像層の上から同じインクジェットプリンタを用いて印刷され、第１の画像層と同じ画像の画素を構成する各ドットのインクが第１の画像層の対応するドットに重ねられ且つ当該各ドットの表面に形成された薄い膜状体の上または周囲に形成された第２の画像層（１８２）とからなる。
【００６４】
なお、画像シート材料１０への印刷に際しては、画像シート材料１０を拡散層１８ａを上面にしてほぼ水平な状態またはやや斜めの状態に配置し、インクジェットプリンタのヘッドを拡散層１８ａの上方または斜め上方からその表面に近づけ、インクを噴射する。これによって、画像の各ドットに対応する位置に所定のカラーのインクが上方から下方へ吹きつけられ、拡散層１８ａの表面に付着し、浸透する。１回目の印刷では、インクは重力にも助けられてつまりインクの重みにも助けられて拡散層１８ａの中へ深く入り込む。拡散層１８ａの厚さが充分厚いので、それに応じてインクが深く入り込む。
【００６５】
１回目の画像１８１の表面、つまりインクの表面を速く乾燥させるためには、赤外線または遠赤外線ヒータを用いたり、温風を当てたりすればよい。そのためのヒータ装置または温風装置を、インクジェットプリンタのヘッドまたはその近辺に取り付けておき、ヘッドによる印刷の直後にそれらの装置によってインクを乾燥させるようにしてもよい。
【００６６】
また、２回目の印刷に際して、画像シート材料１０を初期位置に戻すのではなく、画像シート材料１０は固定しておき、インクジェットプリンタのヘッドを初期位置に戻すようにしてもよい。２回目の印刷において、１回目の印刷による画像の各ドットと同じ位置に、同じ画像のドットを印刷するのである。
【００６７】
上の実施形態において、画像を透過光で見た場合でも十分に高いコントラストが得られるようにするためには、膜状体１３、拡散層１２ａ、１６ａ、１８ａの厚さが３０μｍ以上となるように形成すればよいと説明した。しかし、これら膜状体１３、拡散層１２ａ、１６ａ、１８ａのみを３０μｍ以上となるように形成することが困難な場合は、膜状体１３と第２の画像層１４との合計の厚さ、膜状体１３と第１の画像層１２との合計の厚さ、拡散層１２ａと第１の画像部１２ｂとの合計の厚さ、拡散層１６ａと画像部１６ｂとの合計の厚さ、または、拡散層１８ａと画像部１８ｂとの合計の厚さを、それぞれ３０μｍ以上となるように形成してもよい。画像層においても拡散効果があると考えられるからである。
【００６８】
上の実施形態において、画像シート１，１Ｂ，１Ｃ，１Ｄ，１Ｅまたは画像シート材料１０の全体または各部の構成、寸法、材質、材料などは、本発明の趣旨に沿って適宜変更することができる。
【産業上の利用可能性】
【００６９】
広告用または装飾用の画像シートとして利用することができる。また、そのような画像シートの製造のために利用することができる。
【図面の簡単な説明】
【００７０】
【図１】本発明に係る画像シートの一部を示す断面図である。
【図２】本発明に係る第２の実施形態の画像シートの一部を示す断面図である。
【図３】本発明に係る第３の実施形態の画像シートの一部を示す断面図である。
【図４】本発明に係る第４の実施形態の画像シートの一部を示す断面図である。
【図５】第４の実施形態の画像シートの一部を示す平面図である。
【図６】画像シート材料の一部を示す断面図である。
【図７】インクの状態の他の例を示す画像シートの一部を示す断面図である。
【符号の説明】
【００７１】
１，１Ｂ，１Ｃ，１Ｄ，１Ｅ  画像シート
１０  画像シート材料
１１  支持体
１２  第１の画像層
１２ａ  拡散層
１２ｂ  第１の画像部
１３  膜状体
１４  第２の画像層
１５  保護層
１６  画像層
１６ａ  拡散層
１６ｂ  画像部
１７  保護層
１８ａ  拡散層
１８ｂ  画像部
１８１  １回目に印刷された画像（第１の画像層）
１８２  ２回目に印刷された画像（第２の画像層）
【図１】
2005132090.tif 000003
【図２】
2005132090.tif 000004
【図３】
2005132090.tif 000005
【図４】
2005132090.tif 000006
【図５】
2005132090.tif 000007
【図６】
2005132090.tif 000008
【図７】
2005132090.tif 000009